【手続補正書】
【提出日】平成17年6月24日(2005.6.24)
【手続補正１】
【補正対象書類名】明細書
【補正対象項目名】特許請求の範囲
【補正方法】変更
【補正の内容】
【特許請求の範囲】
【請求項１】
通信デバイスにおいて信号を伝送する方法であって、
情報ビットのシーケンスを符号化することであって、該情報ビットのそれぞれは、情報ビットの該シーケンスを符号化することは、結果的に複数の符号化された出力になるように、符号化されたビットの所定の数の符号化された出力を提供するように符号化され、各符号化された出力に対する符号化されたビットの順序は可変である、ことと、
１つのパンクチャリングパターンを用いて、該複数の符号化された出力のそれぞれをパンクチャリングすることと、
少なくとも１つの伝送アンテナを介して、伝送のためにパンクチャリングされた出力を提供することと
を包含する、方法。
【請求項２】
前記複数の符号化された出力のそれぞれは、実質的に同一のエラー訂正性能を有し、前記符号化することは、ターボエンコーダーによって行われる、請求項１に記載の方法。
【請求項３】
前記パンクチャリングされた出力は、前記複数の符号化された出力のパンクチャリングに基づいて、パンクチャリングされたシーケンスを含み、該パンクチャリングは、実質的に同一の性能を有する異なるパリティビットを含む、請求項１に記載の方法。
【請求項４】
Ｈ―ＡＲＱ方法が用いられるとき、「Ｎｅｗ」および「Ｒｅｔｒａｎｓｍｉｔｔｅｄ」信号がお互い異なるパリティビットを含む、請求項１に記載の方法。
【請求項５】
伝送ダイバーシティが用いられるとき、前記パンクチャリングされた出力が、異なる伝送アンテナに提供される、請求項１に記載の方法。
【請求項６】
前記提供するステップは、前記パンクチャリング出力をレートマッチングすることと、レートマッチングの結果をインターリーブすることと、少なくとも１つのアンテナを介して伝送する前に該インターリーブの結果を変調することとを包含する、請求項１に記載の方法。
【請求項７】
２つの受信アンテナで前記信号を受信することと、
最大割合方法により該２つの受信アンテナからの該信号の情報ビット部分を結合することと
をさらに包含する、請求項６に記載の方法。
【請求項８】
伝送ダイバーシティが用いられるとき、前記２つの受信アンテナのそれぞれからの前記信号の前記パリティビット部をコード結合することをさらに包含する、請求項７に記載の方法。
【請求項９】
伝送ダイバーシティ技法を用いる通信システムであって、
少なくとも１つの伝送アンテナを介して、異なって符号化されたビットに基づいて、信号を伝送する伝送機と、
少なくとも１つの受信アンテナを介して、該信号を受信し、結合し、かつ、デコードする受信機を備え、
該伝送機は、
情報ビットのシーケンスに基づいて、複数の符号化された出力を生成するターボエンコーダーであって、該情報ビットのそれぞれは、情報ビートのシーケンスを符号化することが、結果的に複数の符号化された出力になるように符号化されたビットの所定の数の符号化された出力を提供するように符号化され、各符号化された出力に対する該符号化されたビットの順序は可変である、ターボエンコーダーと、
１つのパンクチャリングパターンを用いて、該複数の符号化された出力のそれぞれをパンクチャリングするパンクチャリングユニットとを備えた、通信システム。
【請求項１０】
前記複数の符号化された出力のそれぞれは、実質的に同一のエラー訂正性能を有し、前記パンクチャリングされたビットシーケンスは、実質的に同一の性能を有する、請求項９に記載の通信システム。
【請求項１１】
前記受信機は、最大割合結合法を前記信号の情報ビットに適用し、コード結合法を該信号のパリティビットに適用する結合機を含む、請求項９に記載の通信システム。
【請求項１２】
通信システムにおいて信号を伝送する伝送機であって、
情報ビットのシーケンスからの複数の符号化された出力を生成するターボエンコーダーであって、該情報ビットのそれぞれは、情報ビットの該シーケンスを符号化することが、結果的に複数の符号化された出力になるように符号化されたビットの所定の数の符号化された出力を提供するように符号化され、各符号化された出力に対する符号化されたビットの順序は可変である、ターボエンコーダーと、
それぞれに同一のパンクチャリングパターンを用いて、該複数の符号化された出力のそれぞれをパンクチャリングするパンクチャイリングユニットと
を備えた、伝送機。
【請求項１３】
所定のサイズに一致させるようにパンクチャリングユニットの出力シーケンスに基づいて反復またはパンクチャリングを行うレートマッチングユニットと、
該レートマッチングユニットの出力ビットシーケンスをインタリーブする所定のサイズのインターリーバと、
該インターリーバの出力を変調および拡散する変調器および拡散ユニットと
をさらに備えた、請求項１２に記載の伝送機。
【請求項１４】
前記パンクチャリングユニットの前記出力シーケンスは、実質的に同一の性能を有する異なるパリティビットを備えた、請求項１２に記載の伝送機。
【請求項１５】
前記ターボエンコーダーは、各符号化された出力の前記符号化されたビットの順序を変更するスイッチを備えた、請求項１２に記載の伝送機。
【請求項１６】
通信システムにおける少なくとも１つの伝送アンテナを介して、信号を受信するための受信機であって、
それぞれに同一のデパンクチャリングパターンを用いて、該信号をデパンクチャリングする複数のデパンクチャリングユニットと、
該複数のデパンクチャリングユニットの出力を、相互ソフト結合する結合機と
を備えた、受信機。
【請求項１７】
前記信号をそれぞれ復調および逆拡散する複数の復調器および逆拡散ユニットと、
該複数の該復調器および逆拡散ユニットの出力をデインターリーブおよびデマッチングする複数のデインターリーブおよびレートデマッチングユニットを備えた、請求項１６に記載の受信機。
【請求項１８】
最大割合結合方法が、前記複数のデパンチャリングユニットの出力の情報ビット部分に適用され、コード結合法が、該複数のデパンクチャリングユニットの信号出力のパリティビット部に適用される、請求項１６に記載の受信機。
【請求項１９】
コード結合ハンドオフモードがサポートされている場合に通信システムにおいて信号を伝送する方法であって、
第１のターボコードされたビットシーケンスを情報ビットシーケンスから生成し、それを受信機に伝送することと、
制御信号により、該第１のターボコードされたビットシーケンスの配置とは異なる第２のターボコードされたビットシーケンスを該情報ビットシーケンスから生成し、それを受信機に伝送することと
を包含する、方法。
【請求項２０】
前記第１のターボコードされたビートシーケンスは、Ｘｋ、Ｙ０ｋ、Ｙ１ｋ、Ｘｋ｀、Ｙ０ｋ、Ｙ１ｋであり、第２のターボコードされたビットシーケンスはＸｋ、Ｙ０ｋ｀、Ｙ１ｋ｀、Ｘｋ｀、Ｙ０ｋ、Ｙ１ｋである、請求項１９に記載の方法。
【請求項２１】
前記第１のターボコードされたビットシーケンスと前記第２のターボコードされたシーケンスをコード結合することをさらに包含する、請求項１９に記載の方法。
【請求項２２】
入力ビットを符号化する方法であって、
第１および第２のエンコーダーに入力ビットを提供することと、
該第１のエンコーダーにより該出力ビットのそれぞれを符号化することにより、第１のコードされたビットを提供することであって、該第１のコードされたビットは、ＸＹ０Ｙ１Ｘ｀Ｙ｀０Ｙ｀１、または、Ｘ｀Ｙ｀０Ｙ｀１ＸＹ０Ｙ１、または、ＸＹ｀０Ｙ｀１Ｘ｀Ｙ０Ｙ１を含む、ことと、
該第２のエンコーダーにより該出力ビットのそれぞれを符号化することにより、第２のコードされたビットを提供することであって、該第２のコードされたビットは、ＸＹ０Ｙ１Ｘ｀Ｙ｀０Ｙ｀１、または、Ｘ｀Ｙ｀０Ｙ｀１ＸＹ０Ｙ１、または、ＸＹ｀０Ｙ｀１Ｘ｀Ｙ０Ｙ１を含み、該第１のコードされたビットと該第２のコードされたビットとは互いに異なる、ことと、
出力コードされたビットを形成するようにパンクチャリングするための該第１および第２のコードされたビットを提供することと
を包含する方法。
【請求項２３】
前記第１のコードされたビットのＸまたはＸ｀、および前記第２のコードされたビットのＸまたはＸ｀がパンクチャリングするために提供されており、該出力コードされたビットは、ＸおよびＸ｀のうちの１つを含む、請求項２２に記載の方法。
【請求項２４】
前記第１および第２のコードされたビットが、同一のパンクチャリングパターンを用いて、パンクチャリングされる、請求項２２に記載の方法。
【請求項２５】
１／２のコード率に対して、前記同一のパンクチャリングユニットは、
【表２】
2002051030.tif 000001
「０」は、第１および第２のコードされたビットの、対応するコードされたビットがパンクチャリングされるべきことを示し、「１」は、該第１および第２のコードされたビットの、対応するコードされたビットがパンクチャリングされるべきでないことを示し、
入力ビットの偶数のインデックスビットに基づいて、上記のテーブルにおける第１のカラムは、該第１および第２のコードされたビットに対するパンクチャリングパターンに対応し、該入力ビットの奇数のインデックスビットに基づいて、該上記のテーブルにおける第２のカラムは、該第１および第２のコードされたビットに対するパンクチャリングパターンに対応する、請求項２４の方法。
【請求項２６】
前記第１のコードされたビットは、ＸＹ０Ｙ１Ｘ｀Ｙ｀０Ｙ｀１を含み、前記第２のコードされたビットは、ＸＹ｀０Ｙ｀１Ｘ｀Ｙ０Ｙ１を含むとき、パンクチャリングされた後の前記出力コードされたビットは、該入力ビットの複数のインデックスビットに対してＸＹ０およびＸＹ｀０を含み、パンクチャリングされた後の該出力コードされたビットは、該入力ビットの奇数のインデックスビットに対してＸＹ｀０およびＸＹ０を含む、請求項２５に記載の方法。
【請求項２７】
１／３のコード率に対して、前記同一のパンクチャリングユニットは、
【表３】
2002051030.tif 000002
「０」は、第１および第２のコードされたビットの、対応するコードされたビットがパンクチャリングされるべきことを示し、「１」は、該第１および第２のコードされたビットの、対応するコードされたビットがパンクチャリングされるべきでないことを示し、
入力ビットの偶数のインデックスビットに基づいて、上記のテーブルにおける第１のカラムは、該第１および第２のコードされたビットに対するパンクチャリングパターンに対応し、該入力ビットの奇数のインデックスビットに基づいて、該上記のテーブルにおける第２のカラムは、該第１および第２のコードされたビットに対するパンクチャリングパターンに対応する、請求項２４の方法。
【請求項２８】
前記第１のコードされたビットは、ＸＹ０Ｙ１Ｘ｀Ｙ｀０Ｙ｀１を含み、前記第２のコードされたビットは、ＸＹ｀０Ｙ｀１Ｘ｀Ｙ０Ｙ１を含むとき、パンクチャリングされた後の前記出力コードされたビットは、該入力ビットの偶数および奇数のインデックスビットに対してＸＹ０Ｙ｀０およびＸＹ｀０Ｙ０を含む、請求項２６に記載の方法。
【請求項２９】
１／４のコード率に対して、前記同一のパンクチャリングユニットは、
【表４】
2002051030.tif 000003
「０」は、第１および第２のコードされたビットの、対応するコードされたビットがパンクチャリングされるべきことを示し、「１」は、該第１および第２のコードされたビットの、対応するコードされたビットがパンクチャリングされるべきでないことを示し、
入力ビットの複数のインデックスビットに基づいて、該上記のテーブルにおける第１のカラムは、該第１および第２のコードされたビットに対するパンクチャリングパターンに対応し、該入力ビットの奇数のインデックスビットに基づいて、該上記のテーブルにおける第２のカラムは、該第１および第２のコードされたビットに対するパンクチャリングパターンに対応する、請求項２４の方法。
【請求項３０】
前記第１のコードされたビットは、ＸＹ０Ｙ１Ｘ｀Ｙ｀０Ｙ｀１を含み、前記第２のコードされたビットは、ＸＹ｀０Ｙ｀１Ｘ｀Ｙ０Ｙ１を含むとき、パンクチャリングされた後の前記出力コードされたビットは、該入力ビットの偶数のインデックスビットに対してＸＹ０Ｙ１Ｙ｀１およびＸＹ｀０Ｙ｀１Ｙ１を含み、パンクチャリングされた後の該出力コードされたビットは、該入力ビットの奇数のインデックスビットに対してＸＹ０Ｙ｀０Ｙ｀１およびＸＹ｀０Ｙ０Ｙ１を含む、請求項２９に記載の方法。
【請求項３１】
１／５のコード率に対して、前記同一のパンクチャリングパターンは、
【表５】
2002051030.tif 000004
「０」は、第１および第２のコードされたビットの、対応するコードされたビットがパンクチャリングされるべきことを示し、「１」は、該第１および第２のコードされたビットの、対応するコードされたビットがパンクチャリングされるべきでないことを示し、
前記入力ビットの偶数のインデックスビットに基づいて、上記のテーブルにおける第１のカラムは、該第１および第２のコードされたビットに対するパンクチャリングパターンに対応し、前記入力ビットの奇数のインデックスビットに基づいて、上記のテーブルにおける第２のカラムは、該第１および第２のコードされたビットに対するパンクチャリングパターンに対応する、請求項２４の方法。
【請求項３２】
前記第１のコードされたビットは、ＸＹ０Ｙ１Ｘ｀Ｙ｀０Ｙ｀１を含み、前記第２のコードされたビットは、ＸＹ｀０Ｙ｀１Ｘ｀Ｙ０Ｙ１を含むとき、パンクチャリングされた後の前記出力コードされたビットは、該入力ビットの偶数および奇数のインデックスビットに対してＸＹ０Ｙ１Ｙ｀０Ｙ｀１およびＸＹ０Ｙ１Ｙ｀０を含む、請求項３０に記載の方法。
【請求項３３】
少なくとも１つのスイッチを用いて、ＸＹ０Ｙ１Ｘ｀Ｙ｀０Ｙ｀１、Ｘ｀Ｙ｀０Ｙ｀１ＸＹ０Ｙ１およびＸＹ｀０Ｙ｀１Ｘ｀Ｙ０Ｙ１のうちの１つが選択される、請求項２２に記載の方法。
【請求項３４】
通信デバイスのためのターボエンコーダーであって、
入力ビットの符号化中にＸＹ０Ｙ１、または、Ｘ｀Ｙ｀０Ｙ｀１、または、ＸＹ｀０Ｙ｀１の第１のコードされたビットの出力するように構成されている第１の構成要素エンコーダーと、
該入力ビットの符号化中にＸ｀Ｙ｀０Ｙ｀１、または、ＸＹ０Ｙ１、または、Ｘ｀Ｙ０Ｙ１の第２のコードされたビットを出力するように構成されている第２の構成要素エンコーダーと
を備え、
ＸおよびＸ｀はシステマティックビットであり、Ｙ０、Ｙ｀０、Ｙ１およびＹ｀１はパリティビットである、ターボエンコーダー。
【請求項３５】
所定のパンクチャリングパターンを用いて、前記第１および第２の構成要素エンコーダーの前記出力をパンクチャリングするパンクチャリングユニットをさらに備えた、請求項３４に記載のターボエンコーダー。
【請求項３６】
少なくとも１つのスイッチを用いて、ＸＹ０Ｙ１、または、Ｘ｀Ｙ｀０Ｙ｀１、または、ＸＹ｀０Ｙ｀１が、第１の構成要素エンコーダーにおいて選択され、Ｘ｀Ｙ｀０Ｙ｀１、または、ＸＹ０Ｙ１、または、Ｘ｀Ｙ０Ｙ１が、第２の構成要素エンコーダーにおいて選択される、請求項３４に記載のターボエンコーダー。
【請求項３７】
１／２コード率に対して、前記所定のパンクチャリングパターンは、
【表６】
2002051030.tif 000005
「０」は、第１および第２のコードされたビットの、対応するコードされたビットがパンクチャリングされるべきことを示し、「１」は、第１および第２のコードされたビットの、対応するコードされたビットがパンクチャリングされるべきでないことを示し、
入力ビットの偶数のインデックスビットに基づいて、上記のテーブルにおけるカラム（ｉ）は、該第１および第２のコードされたビットに対するパンクチャリングパターンに対応し、該入力ビットの奇数のインデックスビットに基づいて、該上記のテーブルにおけるカラム（ｉ＋１）は、該第１および第２のコードされたビットに対するパンクチャリングパターンに対応する、請求項３５のターボエンコーダー。
【請求項３８】
１／３コード率に対して、前記所定のパンクチャリングパターンは、
【表７】
2002051030.tif 000006
「０」は、第１および第２のコードされたビットの、対応するコードされたビットがパンクチャリングされるべきことを示し、「１」は、第１および第２のコードされたビットの、対応するコードされたビットがパンクチャリングされるべきでないことを示し、
前記入力ビットの複数のインデックスビットに基づいて、上記のテーブルにおけるカラム（ｉ）は、該第１および第２のコードされたビットに対してパンクチャリングパターンに対応し、前記入力ビットの奇数のインデックスビットに基づいて、上記のテーブルにおけるカラム（ｉ＋１）は、該第１および第２のコードされたビットに対してパンクチャリングパターンに対応する、請求項３５の方法。
【請求項３９】
１／４コード率に対して、前記所定のパンクチャリングパターンは、
【表８】
2002051030.tif 000007
「０」は、第１および第２のコードされたビットの、対応するコードされたビットがパンクチャリングされるべきことを示し、「１」は、該第１および第２のコードされたビットの、対応するコードされたビットがパンクチャリングされるべきでないことを示し、
入力ビットの偶数のインデックスビットに基づいて、上記のテーブルにおけるカラム（ｉ）は、該第１および第２のコードされたビットに対してパンクチャリングパターンに対応し、該入力ビットの奇数のインデックスビットに基づいて、該上記のテーブルにおけるカラム（ｉ＋１）は、該第１および第２のコードされたビットに対するパンクチャリングパターンに対応する、請求項３５のターボエンコーダー。
【請求項４０】
１／５コード率に対して、前記所定のパンクチャリングパターンは、
【表９】
2002051030.tif 000008
「０」は、第１および第２のコードされたビットの、対応するコードされたビットがパンクチャリングされるべきことを示し、「１」は、該第１および第２のコードされたビットの、対応するコードされたビットがパンクチャリングされるべきでないことを示し、
入力ビットの偶数のインデックスビットに基づいて、上記のテーブルにおけるカラム（ｉ）は、該第１および第２のコードされたビットに対するパンクチャリングパターンに対応し、該入力ビットの奇数のインデックスビットに基づいて、該上記のテーブルにおけるカラム（ｉ＋１）は、該第１および第２のコードされたビットに対するパンクチャリングパターンに対応する、請求項３５のターボエンコーダー。